(57)【要約】【目的】  編む糸の流れを一定の糸調節にして、小指に挟む糸の経由の緊張を解決するとともに編む編目を美しく揃え、糸だまより人さし指直接に編む糸を掛けて編める方法を提供する。【構成】  サイズ調節１ａ、１ｂ、６可能のリング１からなる枠３に糸調節５、５ａ、５ｂ、１１、１２と、調整体３と誘導体４ｂ、６を設けて、人さし指７だけで編めることを特徴とする。【選択図】        図１
2007009387.tif 000002
【特許請求の範囲】
【請求項１】
一本のワイヤー２、２ａ、２ｂより設けたサイズ調節１ａ、１ｂ，６可能のリング１、２からなる、逆Ｕ字３ａ、誘導体３ｂ、４と調整体３ｃを設けた左右の枠３に糸調節５、５ａ、５ｂを設け、糸だま８ｂ、９ｂ、１０ｂからの編む糸８ａ、９ａ、１０ａを人さし指７直接に掛ける方法と、サマー用の糸１３には、すべり止め１１、１１ａ、１２を、編む糸１３の遊動を押さえ、小指に経由して掛ける緊張を解決して格糸８、９、１０、１３が編めることを特徴とする、人さし指の一本で編める編物用具の方法。
【発明の詳細な説明】
【発明の詳細な説明】
【技術分野】
【０００１】  この発明は、一本のワイヤーより設けて形成した、メリヤス編、編込模様、ワンポイント模様、カウチン編等と２種類のすべり止めと調整体によりサマーニット用の糸も、糸調節可能の小指に経由して挟む緊張を解決して、人さし指の一本で編める編物用具の方法に関する。【０００２】  従来から編む糸を小指に経由して掛ける方法及び、指に装置をはめて編む方法は知られている。
【発明が解決しょうとする課題】
【０００３】  これは次のような欠点があった。突起を付け、上から蓋をして編む糸を封じ込めるだけでワンポイント模様の編込みは、編む糸を交差する必要のため通過不能となり編む糸の掛外し不可で不便であり、糸調節不可と、編む糸を小指に経由して掛けて挟む、緊張の解決不可の欠点が有った。
【課題を解決するための手段】
【０００４】  一本のワイヤーより設けた、人さし指にはめるサイズ調節可能のリングからなる左右の枠と、２種類のすべり止めと調整体を設けて、編む糸の太さに合わせて糸調節可能にして、糸だまより直接に人さし指に掛けて編む糸の小指からの掛け外しを簡単にして、小指に経由して糸を挟む緊張を解決する。よって編物離れの防止と、市場の流通機構に繋がり、人さし指の一本で編める編物用具の方法である。
【発明を実施するための最良の形態】
【０００５】  以下、本発明の実施の形態を説明する。
一本のワイヤー２は中央体１ａ部を折りまげる。曲げてニ本にしたワイヤーは、人さし指７に合わせて一回転させ、止め具６を左右に通してから、中央体１ａ位置寄りの１０ｍｍ上あたりで、再度ワイヤー２の左右先端２ａ、２ｂ部を付き合わせて通して止め、リング１を形成する。残る左右に分かれた二本のワイヤー２は、枠３を形成する。左右の枠３の中央寄りからなの、左右横向きした背中合わせ対照の逆Ｕ字３ａ形に向きを替えて形成して、格糸８、９、１０、１３を区分して掛ける波形の誘導体３ｂと、上げ下げ、僅かの微調整可能の調整体３ｃを形成する。左右先端２ａ２ｂ部のワイヤー２にビーズ４を付けて処理する。
横長のチップ状にカットしたすべり止め５ａ布と、保護板５ｂの２枚を合わせて接着させ、左右枠３の表側平面から保護板５ｂが見える状態にして、枠３の右先端に保護板５ｂの右先端を接着して固定する。サマーニット用の細い糸１３を編む時の糸１３の遊動を押さえるＵピン状のすべり止め１１ａは先端部にビーズ１２を付けて処理をする。【０００６】    ワイヤー２の材質は自在の利くアルミが良く、合成樹脂で被膜したカラフルなメタリック調が美しく好ましい。ビーズ４は合成樹脂及び木製でも良く、カラフルにすると美しい。止め具６は合成樹脂の弾力ある透明の材質にすると美しい。
枠３に付けるすべり止め５ａは、フェルトの布でカラフルが好ましい。保護板５ｂは、合成樹脂で少し弾力ある材質でも良く、アクリル板でも良く、色彩はソフトでカラフルが良い。Ｕピン状のすべり止め１１ａの材質は細めの、直径１ｍｍの金属に合成樹脂で被膜したカラフルな色彩が良い。先端部のビーズ１２はカラフルにすると良い。【０００７】  図１、２で示した様に人さし指７にリング１をはめ、編物用具の枠３が指７の向こう側寄りにしてはめ、人さし指７と枠３とで編む格糸８ａ、９ａ、１０ａ、１３ａを挟んだ状態にして、誘導体３ｂより流れ出る格糸８、９、１０、１３が人さし指７にすれて出てくる位置にして掛ける。編む糸を指で引いて見て少し抵抗が有る程度に、枠３に設けたすべり止め５ａの下を通過して、編針に編む目が掛かる位置迄の長さ寸法が、たるむ事無く常にピーンと張った状態の長さの同寸法で編めるように設けて好ましい。サマーニット用の細い糸１３で特にリボンヤーンの糸等の時は、図２で示したＵピン状のすべり止め１１ａは、人さし指７にはめたリング１に挟む状態にして、編む糸１３の遊動を押さえて糸だまより通じる其の糸１３ａは、小指に経由して掛ける事無く、編み易く好ましい。
編む糸を手の内に入れるだけの状態及び、小指に編む糸を経由して掛ける状態の何れも枠３、５ａ、５ｂと人さし指７の間に僅かな微空間を設ける糸調節５にして編める事も出来る。枠３に設けたすべり止め５ａ、調整体３ｃ、Ｕピン状のすべり止め共に、微量の上げ下げの糸調節５を設けて編み易く好ましい。
リング１のサイズ調節１ｂは、リング１とリング１を広げるように止め具６を鉛筆先の角で押すようにして移動させるか、リングをゆるめにして上から押して少し潰した状態でも良い。
メリヤス編みは右側の枠３側に設けた誘導体３ｂに編む糸の掛ける其の位置は選択出来る。編込模様、カウチン編は左右の枠３の設けた誘導体３ｂに区分して編む格糸８、９の一本づつと、二本づつ掛けが出来、その掛け方は選択して編み易く好ましい。【０００８】  図１で示したワンポイントの模様編みの編む糸の掛け方は、地糸と配色糸８ａ、９ａ、１０ａの格３本は、右側の枠３の格区分する誘導体３ｂに掛けて編む。
表編みの交差方法は、地糸編みが終って、次に配色糸９の編む目に編針を入れながら地糸８の下から配色糸９をすくって交差して編む。
次に交差が終り絡んだ地糸８と配色糸９の２本共を、右手指で区分体３ｂより上に引き上げ、配色糸９ａの掛け直しと地糸８を外す其の指はワンタッチ操作で簡単にできる。
裏編みの交差方法は、地糸１０編みが終って、次に配色糸９の編む目に編針を入れながら地糸１０の上から配色糸９をすくって交差して編む。
次に交差が終り絡んだ地糸１０ａと配色糸９ａの２本共を、右手指で区分体３ｂより上に引き上げ、配色糸９ａの掛け直しと外した地糸１０の其の指はワンタッチ操作で簡単にできる。
【発明の効果】
【０００９】  特にワンポイント模様の糸と糸を交差する度毎に、小指に挟んで経由する糸の掛け直しの必要を解決して、糸だまより直接にして、人さし指の一本だけで編む事が出来、編目が揃って美しい。従って編物離れを防止して、市場の流通機構に繋がる。
【図面の簡単な説明】
【図１】  少し拡大して一部欠落するワンポイント模様の実施例を示す斜視図
【図２】  少し拡大して一部欠落する細い糸で編む時の実施例を示す斜視図
【符号の説明】
１、１ａ，１ｂ      リング
２、２ａ、２ｂ、１１    ワイヤー
３        枠
３ａ      逆Ｕ字
３ｂ      誘導体
３ｃ      調整体
４、１２          ビーズ
５        糸調節
５ａ、１１ａ      すべり止め
７        人さし指
８、８ａ、１０、１０ａ      地糸
９、９ａ      配色糸
８ｂ、９ｂ，１０ｂ      糸だま
１３、１３ａ      糸
【図１】
2007009387.tif 000003
【図２】
2007009387.tif 000004